(57)【要約】【課題】  デザイン変更を低コストで行うことができると共にデザイン選択の自由度が高い吐水口部材を提供する。【解決手段】  一次の端部側に水栓本体１０との接続部３６を有すると共に内部に吐水流路Ｒを形成する吐水口部材Ｔである。略Ｌ字状若しくは略円弧状の曲がり部３１を具備すると共に、吐水口部材Ｔの一次側の部位を構成する基管部３０と、基管部３０とは別体に構成され、基管部３０の二次側に取り付けられる吐水用管部５０と、を備える。基管部３０と吐水用管部５０とは所定の固定部材６０により固定される。【選択図】      図１
2005113630.tif 000002
【特許請求の範囲】
【請求項１】
一次の端部側に所定の水栓本体との接続部を有すると共に内部に吐水流路を形成する吐水口部材であって、
略Ｌ字状若しくは略円弧状の曲がり部を具備すると共に、前記吐水口部材における一次側の部位を構成する基管部と、
前記基管部とは別体に構成され、前記基管部の二次側に取り付けられる吐水用管部と、を備え、
前記基管部と前記吐水用管部とは所定の固定部材により固定されたことを特徴とする吐水口部材。
【請求項２】
一次の端部側に所定の水栓本体との接続部を有すると共に内部に吐水流路を形成する吐水口部材であって、
略Ｌ字状若しくは略円弧状の曲がり部を具備すると共に、前記吐水口部材における一次側の部位を構成する基管部と、
前記基管部とは別体に構成され、前記基管部の二次側に取り付けられる吐水用管部と、を備え、
前記基管部及び前記吐水用管部の一方に設けられた被挿入部に対して他方に設けられた挿入部を挿入し、
前記被挿入部の内壁面と、前記挿入部の外壁面との間には前記被挿入部及び前記挿入部を抜け止め状態に固定する固定部材が配置されると共に、
前記固定部材は、前記被挿入部の内壁面及び前記挿入部の外壁面のうちの一方に対して螺合され、他方に対して該他方の軸心方向への移動を規制する状態に係合されることを特徴とする吐水口部材。
【請求項３】
前記固定部材は、別体とされた複数の分割片を用いて構成される円筒状部材、若しくは、連結部を支点に相互に回転可能に連結される複数の分割片を用いて構成される円筒状部材によって構成されると共に、
前記円筒状部材の外壁面には、前記被挿入部の内壁面の雌ネジ部に螺合する雄ネジ部が設けられ、
前記円筒状部材の内壁面には、前記挿入部の外壁面に設けられた周溝部に係合する規制用突部が設けられることを特徴とする請求項２に記載の吐水口部材。
【請求項４】
前記基管部及び前記吐水用管部は、一方に設けられた被挿入部に対して他方に設けられた挿入部を挿入した状態で取り付けられると共に、
前記被挿入部と、前記挿入部とに、相互に係合して相対回転を禁止する回転禁止手段を設けたことを特徴とする請求項１乃至請求項３の何れかに記載の吐水口部材。
【発明の詳細な説明】
【技術分野】
【０００１】
本発明は、吐水口部材に関する。
【背景技術】
【０００２】
水栓等の水栓設備においては、水栓本体の（流出口）に吐水口部材（カラン等）を接続することがある。かかる吐水口部材８０の中には、図７に示すように、曲がり部８１と水平部８２とを一体的に備えるものがある（特許文献１参照）。そして、この吐水口部材８０は、例えば、成形型を用いた一体成形（鋳造）によって作製することができる。
【特許文献１】特開平９−２５０６６５号公報
【発明の開示】
【発明が解決しようとする課題】
【０００３】
しかし、この吐水口部材８０では、デザイン変更のためのコストが高くなったり、デザインの選択の自由度が低くなっている。例えば、水平部８２の長さや外形を変更し、吐水口部材８０のデザインを変更しようとすると、成形型全体を別のものとすることが必要である。従って、デザイン変更のためにコストが掛かると共に、このコストのために、デザインの選択の自由度が低くなっているのが実情であるからである。
【０００４】
本発明は、上述の課題を解決するものであり、デザイン変更を低コストで行うことができると共にデザイン選択の自由度が高い吐水口部材を提供することを目的とする。
【課題を解決するための手段】
【０００５】
請求項１の発明の吐水口部材は、一次の端部側に所定の水栓本体との接続部を有すると共に内部に吐水流路を形成する吐水口部材であって、
略Ｌ字状若しくは略円弧状の曲がり部を具備すると共に、前記吐水口部材における一次側の部位を構成する基管部と、
前記基管部とは別体に構成され、前記基管部の二次側に取り付けられる吐水用管部と、を備え、
前記基管部と前記吐水用管部とは所定の固定部材により固定されたことを特徴とする。
【０００６】
請求項１の発明の吐水口部材では、基管部と吐水用管部とを別体に作成した後に取り付ける。よって、例えば、基管部及び吐水用管部のうちの一方を異なるサイズ、形状のものに変更すれば、吐水口部材のデザインを変更できる。つまり、吐水口部材のデザインの変更の際に、基管部及び吐水用管部のうちの一方をそのまま使用しつつ、多様なデザインの吐水口部材を得ることができる。よって、請求項１の発明によると、デザイン変更を低コストで行うことができると共にデザイン選択の自由度が高くなる。
【０００７】
ここで、各請求項の発明において、基管部や吐水用管部の製造方法は特に問わず、例えば、成形型を用いた「一体成形（樹脂の一体成型品、鋳造品）」や、直管状の管素材に曲げ加工を施す「曲げ加工」等を例示できる。但し、製造コストの低廉化を図ったり、デザイン選択の自由度を更に高める上では、一体成形によることが好ましい。
【０００８】
つまり、管素材に治具を用いて「曲げ加工」を施す作業は、作業性が悪いため、この曲げ加工が原因で、吐水口部材（特に、基管部）の製造コストが高くなる可能性がある。また、この曲げ加工を行うタイプでは、曲がり部の曲率半径（図７の符号Ｌで示す「垂下長」を参照）が小さくなればなる程、曲げ加工が困難となる。このため、この曲がり部の曲率半径を小さくしたデザインを得ることができないため、デザイン選択の自由度が低くなる可能性があるからである。
【０００９】
各請求項の発明において「基管部」は、曲がり部のみによって構成されてもよいし、曲がり部の一次側及び二次側のうちの少なくとも一方に「他の形状の部分（例えば、直管部）」を備えていてもよい。また、「基管部」は、２つ以上の曲がり部を備えてもよい。また、各請求項の発明において「曲がり部」は、２つの直線状の管状部を略Ｌ字状（管状部のなす角度は、鋭角、直角、鈍角の何れでもよい。）に配置して構成してもよし、円弧状の管状部（中心角は、鋭角、直角、鈍角の何れでもよい。）によって構成してもよい。
【００１０】
また、請求項１の「固定部材」としては、例えば、「ビス」を例示できる。例えば、基管部及び吐水用管部が一方に設けられた被挿入部に対し、他方に設けられた挿入部を挿入した状態で取り付けられる場合において、被挿入部から挿入部に到達する状態に装着される「ビス」によって、基管部と吐水用管部との固定を行ってもよい。
【００１１】
請求項２の発明の吐水口部材は、一次の端部側に所定の水栓本体との接続部を有すると共に内部に吐水流路を形成する吐水口部材であって、
略Ｌ字状若しくは略円弧状の曲がり部を具備すると共に、前記吐水口部材における一次側の部位を構成する基管部と、
前記基管部とは別体に構成され、前記基管部の二次側に取り付けられる吐水用管部と、を備え、
前記基管部及び前記吐水用管部の一方に設けられた被挿入部に対して他方に設けられた挿入部を挿入し、
前記被挿入部の内壁面と、前記挿入部の外壁面との間には前記被挿入部及び前記挿入部を抜け止め状態に固定する固定部材が配置されると共に、
前記固定部材は、前記被挿入部の内壁面及び前記挿入部の外壁面のうちの一方に対して螺合され、他方に対して該他方の軸心方向への移動を規制する状態に係合されることを特徴とする。
【００１２】
請求項２の発明は、請求項１の発明を具体化したものであり、請求項２の発明によると、請求項１の発明の効果に加えて、以下の効果が得られる。即ち、基管部と吐水用管部とが、被挿入部の内壁面及び挿入部の外壁面のうちの一方に対して螺合され、他方に係合される「固定部材」を用いて固定されるため、この固定の状態がより堅固なものとなる。
【００１３】
ここで、請求項２の発明においては、例えば、被挿入部の内壁面及び挿入部の外壁面の間に、「固定部材」が配置される空間部が形成される。この「空間部」としては、被挿入部の内壁面と、挿入部の外壁面との間に形成される「環状の空間部」を例示できる。この場合、「固定部材」としては、この「空間部」に配置可能な筒状体（特に、円筒体）を例示できる。
【００１４】
請求項３の発明の吐水口部材は、請求項２の発明の吐水口部材において、
前記固定部材は、別体とされた複数の分割片を用いて構成される円筒状部材、若しくは、連結部を支点に相互に回転可能に連結される複数の分割片を用いて構成される円筒状部材によって構成されると共に、
前記円筒状部材の外壁面には、前記被挿入部の内壁面の雌ネジ部に螺合する雄ネジ部が設けられ、
前記円筒状部材の内壁面には、前記挿入部の外壁面に設けられた周溝部に係合する規制用突部が設けられることを特徴とする。
【００１５】
請求項３の発明は、請求項２の発明の具体例を示すものである。つまり、請求項３の発明によると、固定部材を吐水口部材に対して装着容易な構造（分割タイプ、回転タイプ）とするため、基管部と吐水用管部との固定をより円滑に行うことができる。尚、規制用突部は、円筒状部材の内壁面に周回状に設けられても、円筒状部材の内壁面の周方向に沿った一部に設けられてもよい。また、基管部と吐水用管部とを取り付けたときに、両者の間のがたつきを排除する上では、規制用突部と周溝部とが嵌合状態となることが望ましい。
【００１６】
請求項３の発明においては、基管部及び吐水用管部の固定を、例えば、以下のように行うことができる。例えば、先ず、円筒状部材によって挿入部を抱え込んだ状態（つまり、円筒状部材の内部空間に挿入部が収まった状態）とするが、このとき、規制用突部を周溝部に係合させる。この状態で、円筒状部材の雌ネジ部を被挿入部の内壁面の雌ネジ部に螺合すると、基管部及び吐水用管部は、固定部材（円筒状部材）を介して堅固に固定される。
【００１７】
請求項４の発明の吐水口部材は、請求項１乃至請求項３の何れかに記載の吐水口部材において、
前記基管部及び前記吐水用管部は、一方に設けられた被挿入部に対して他方に設けられた挿入部を挿入した状態で取り付けられると共に、
前記被挿入部と、前記挿入部とに、相互に係合して相対回転を禁止する回転禁止手段を設けたことを特徴とする。
【００１８】
請求項４の発明によると、吐水用管部が、その軸心周りに不用意に回転することを防止できる。
【発明の効果】
【００１９】
以上のように、本各発明によると、デザイン変更を低コストで行うことができると共にデザイン選択の自由度が高い吐水口部材が得られる。
【発明を実施するための最良の形態】
【００２０】
次に、本各発明に係わる「吐水口部材」の最良の形態（以下、「実施例」という。）を図面に従って詳細に説明する。
【００２１】
本実施例の吐水口部材Ｔは、図１に示すように、所定の水栓の水栓本体１０に着脱可能に装着されるものである。つまり、水栓本体１０の形成された給水用（出口側）の接続口１１に対して、着脱可能に装着されるものである。尚、この接続口１１の内壁面には段部１２が設けられ、段部１２よりも奥側が内径の小さな小径部１３とされ、段部１３よりも出口側が内径の大きな大径部１４とされている。また、接続口１１の外壁面には雄ネジ部１５が設けられている。
【００２２】
吐水口部材Ｔは、図１に示すように、基管部３０と、吐水用管部５０と、固定部材６０と、を備え、内部に略Ｌ字状の吐水流路Ｒを形成している。また、基管部３０は樹脂を用いた一体成形品であり、略Ｌ字状の曲がり部３１によって構成されている。この基管部３０（曲がり部３１）は、２つの直線状の管状部３２、３３を略Ｌ字状（管状部３２，３３のなす角度は略直角）に配置した構成とされている。つまり、基管部３０（曲がり部３１）は、屈曲中心部３５の一次側において軸心を上下に向けて配置される第１の管状部３２と、屈曲中心部３５の二次側において軸心を水平に向けて配置される第２の管状部３３とを備えている。
【００２３】
第１の管状部３２の上端側部分（即ち、基管部３０の一次の端部側の部分）は、接続口１１に接続される接続部３６を構成している。この接続部３６の外壁面には凹部３６ａを周回状に備えている。この接続部３６は、内部に筒状の補強部材７０を配置した状態で接続口１１に挿入されている。そして、接続部３６の外側に同心状に装着された係合リング７１と、袋ナット７２とを介在させた状態にて、接続口１１に回動可能に接続されている。
【００２４】
つまり、係合リング７１は、接続口１１の雄ネジ部１５に螺合された袋ナット７２の内部において、この袋ナット７２の下端側の内壁面に支持されている。そして、係合リング７１は、その内周面から略リング状に突出する突部７１ａを凹部３６ａにはめ込み、接続部３６を回動可能に支持するため、接続部３６は、接続口１１に対して回動可能とされている。尚、補強部材７０の上端側の外周面は、接続口１１の小径部１３の内壁面に当接すると共に、接続口１１及び接続部３６の接続部分のシールが、円環状パッキン（例えば、リップ付き）７３によって行われている。
【００２５】
第２の管状部３３は、図２及び図３（ｂ）に示すように、被挿入部Ｆの一具体例を構成すると共に、その内径を段差状に変化させている。つまり、第２の管状部３３の開口部側（即ち、基管部３０の二次の端部側）から、屈曲中心部３５の側に向かって内径を２段階に小さくしている。即ち、第２の管状部３３は、内径が一番大きな出口側部分３７と、出口側部分３７の奥側に位置し、中間の内径を有する中間部分３８と、中間部分３８の奥側に位置する奥端部分３９とを備えている。そして、中間部分３８の内壁面には雌ネジ部３８ａが設けられている。
【００２６】
第２の管状部３３は、その軸心方向に沿って屈曲中心部３５よりも更に奥側（開口部と離間する方向）に延出部４０を備えている。また、この延出部４０の内壁面からは、係合用突部４１が延出部４０の半径内側方向に突出している。この係合用突部４１は、図５（ａ）に示すように、延出部４０の直径方向に沿った両端側の二カ所に配置されると共に、個々の係合用突部４１は第２の管状部３３の軸心方向に沿って長尺状とされている。尚、この係合用突部４１は、基管部３０側の「回転禁止手段」の一具体例を構成する。
【００２７】
吐水用管部５０は、図１に示すように、略直管状に構成されている。この吐水用管部５０の二次の端部には整流キャップ５１が装着されている。また、図２に示すように、一次の端部側が、前述の被挿入部Ｆに挿入される挿入部Ｓを構成すると共に、その外径が奥端部分３９に嵌合可能な大きさとされている。
【００２８】
図５（ａ）及び（ｂ）に示すように、吐水用管部５０の直径方向に沿った両端側の二カ所には、係合用溝５３が設けられている。この係合用溝５３は、吐水用管部５０側の「回転禁止手段」の一具体例を構成するものであり、図５（ａ）〜（ｃ）に示すように、吐水用管部５０の軸心方向に設けられると共に、吐水用管部５０の一次の端面５４と、吐水用管部５０の外壁面と、内壁面で開口している。そして、この係合用溝５３は、一次の端面５４寄りの部位に、吐水用管部５０の周方向に沿って溝幅ａを変化させたテーパ溝部５３ａを構成している。このテーパ溝部５３ａは、一次の端面５４に近づくに従って、溝幅ａを除々に拡大させている。
【００２９】
図３（ａ）に示すように、吐水用管部５０の一次の端部側の部位であって、係合用溝５３よりも二次側に位置する部位には、凹部５６と、周溝部５７とが、この順で、二次方向に向かって並んで配置されている。凹部５６及び周溝部５７は吐水用管部５０の外壁面を周回する状態に設けられている。
【００３０】
固定部材６０は、図２に示すように、前述の「出口側部分３７及び中間部分３８」によって構成される空間部分と凹凸が反転した外形を備えている。即ち、固定部材６０は、図２及び図４に示すように、本体部６１と、本体部６１の一端側に設けられた鍔部６２を備える「円筒状部材」によって構成されている。また、固定部材６０は、吐水用管部５０の１次の端部寄りの部位を嵌合可能な内部空間をその軸心方向に備えている。
【００３１】
この固定部材６０は、図３（ａ）及び図４に示すように、「半割状」の分割片（円筒体をその軸心を通過する仮想的な分割面によって２分割した半円筒体）６０ａ、６０ａを略円筒状に組み合わせて構成されるものである。この固定部材６０の鍔部６１は、第２の管状部３３の出口側部分３７に嵌合可能な外形を備えると共に、本体部６１の外壁面には、中間部分３８の雌ネジ部３８ａと螺合可能な雄ネジ部６１ａが設けられている。また、本体部６１の内壁面からは、前述の周溝部５７に係合可能な規制用突部６１ｂが周回状に設けられている。尚、この規制用突部６１ｂは必ずしも周回状とされる必要はなく、例えば、円弧状に形成されてもよい。また、円弧状とする場合、その数は単数であっても、複数であってもよい。
【００３２】
次に、本吐水口部材Ｔの組み付けの手順の一具体例を示す。尚、吐水口部材Ｔの組み付けは、通常、基管部３０を水栓本体１０の接続口１１に接続する前に行うが、基管部３０を水栓本体１０の接続口１１に接続した後に行ってもよい。
【００３３】
先ず、図３（ａ）に示すように、吐水用管部５０の１次の端部寄りの部位を、分割片６０ａ、６０ａによって抱え込む。即ち、２つの分割片６０ａ、６０ａを、吐水用管部５０の軸心と直交する方向から吐水用管部５０に近づけ、２つの分割片６０ａ、６０ａの相互に対向する内壁面によって、吐水用管部５０の１次の端部寄りの部位を挟み込む。
【００３４】
このとき、規制用突部６１ｂを周溝部５７に、はめ込むため、固定部材６０の円筒形状を保持する限り、吐水用管部５０が固定部材６０から抜け出ることが防止される。尚、吐水用管部５０は、固定部材６０によって軸心周りに回動可能に保持されている。また、凹部５６には、所定のシール部材（例えば、パッキン）６５がはめ込まれる。更に、本実施例と異なり、規制用突部６１ｂを吐水用管部５０の外壁面に設け、この規制用突部６１ｂと係合する周溝部５７を固定部材６０の内壁面に設けてもよい。
【００３５】
この吐水用管部５０を抱え込んだ吐水用管部５０を、その１次側の端部を先頭に、第２の管状部３３の内部に挿入し、本体部６１の外壁面の雄ネジ部６１ａを中間部分３８の雌ネジ部３８ａに螺合可能する。このとき、固定部材６０は、第２の管状部３３の内部に向かって、管状部３２の軸心方向に沿って回転状態で進む（即ち、螺進する）。尚、このとき、吐水用管部５０を回転しない状態とすることもできる。尚、この螺合作業を円滑に行う上では、例えば、固定部材６０の挿入端末側の端面に工具掛を設けることが望ましい。
【００３６】
この螺合作業がある程度、進み、吐水用管部５０の一次の端面５４が屈曲中心部３５内に到達したところで、係合用突部４１を係合用溝５３に進入させる。このとき、係合用突部４１及び係合用溝５３がブライドの状態となるため、吐水用管部５０をその軸心周りに適宜回動させ、係合用突部４１と係合用溝５３との位置合わせを行うことになるが、前述の如く、係合用溝５３がその入り口側に広がるテーパ溝部５３ａを備えるため、この位置合わせは円滑に行われる。
【００３７】
尚、テーパ溝部５３ａと共に設けたり、若しくは、テーパ溝部５３ａの代わりに、係合用突部４１の挿入方向に沿った先頭寄りの部分に当該先頭方向に向かってその幅（吐水用管部５０の周方向に沿った幅）が除々に狭くなるテーパ部を設けてもよい。
【００３８】
雄ネジ部６１ａの雌ネジ部３８ａへの螺合を完了すると、吐水口部材Ｔの組み付けを完了する。このとき、固定部材６０の鍔部６２が第２の管状部３３の出口側部分３７に嵌合し、鍔部６２の二次側の端面と、第２の管状部３３の端面とが面一となる。また、係合用突部４１と係合用溝５３が係合を完了し、吐水用管部５０はその軸心周りの回転を禁止された状態となる。
【００３９】
吐水口部材Ｔの組み付けを完了し、吐水用管部５０はその軸心周りの回転が禁止された状態となりつつ、第１の管状部３２の内部空間と連通する。これにより、吐水用管部５０の内部空間と、基管部３０の内部空間とが連通した状態となる。
【００４０】
また、雄ネジ部６１ａ及び雌ネジ部３８ａが螺合すると共に、規制用突部６１ｂが周溝部５７に、はめ込まれているため、吐水用管部５０が基管部３０から不用意に抜け出ることが禁止される。尚、吐水用管部５０の凹部５６に、はめ込まれたシール部材（例えば、パッキン）６５の外周面が、第２の管状部３３の内壁面に弾発状に当接するため、吐水用管部５０と基管部３０との間の水密性が保持される。
【００４１】
以上の実施例の吐水口部材Ｔでは、基管部３０と吐水用管部５０とを別体に作成した後に取り付ける。よって、基管部３０及び吐水用管部５０のうちの一方を異なるサイズ、形状のものに変更すれば、吐水口部材Ｔのデザインを変更できる。つまり、吐水口部材Ｔのデザインの変更の際に、基管部３０及び吐水用管部５０のうちの一方をそのまま使用しつつ、多様なデザインの吐水口部材Ｔを得ることができる。よって、本実施例によると、デザイン変更を低コストで行うことができると共にデザイン選択の自由度が高くなる。
【００４２】
また、実施例の吐水口部材Ｔでは、基管部３０を一体成形品で構成するため、曲がり部３１を曲げ加工によって作製する必要がない。このため、製造コストの低廉化を図ったり、デザイン選択の自由度を更に高めることができる。即ち、曲げ加工によって曲がり部３１を形成する場合には、その曲率半径を小さくすること等が困難であったが、本実施例では、第１の管状部３２の全長を短くすることで同様な効果が得られる。そして、第１の管状部３２の全長を短くすることは、一体成形においては何ら困難ではないからである。
【００４３】
本実施例では、基管部３０と吐水用管部５０とが、「基管部３０に螺合されると共に吐水用管部５０に抜け止め状態で係合される固定部材６０」を用いて固定されるため、その固定状態がより堅固なものとなる。また、本実施例によると、固定部材６０を装着容易な構造（分割タイプ）とするため、基管部３０と吐水用管部５０との固定をより円滑に行うことができる。更に、本実施例によると、係合用突部４１と係合用溝５３との係合によって、吐水用管部５０がその軸心周りに不用意に回転することを防止できる。
【００４４】
尚、本各発明の範囲は前記各実施例に示す具体的な態様に限定されず、本各発明の範囲内で種々の変形例を例示できる。
【００４５】
例えば、固定部材６０の態様は、前述の円筒状部材によって構成されるものに限定されない。例えば、図６の変形例に示すように、「ビスＢ」によって構成してもよい。即ち、この変形例の如く、基管部３０に構成される被挿入部Ｆに、吐水用管部５０に構成される挿入部Ｓを嵌合し（挿入し）、被挿入部Ｆ及び挿入部Ｓの半径内側方向に螺合されるビスＢの雄ネジ部を、被挿入部Ｆから挿入部Ｓに到達させる態様を採用してもよい。
【００４６】
実施例及び変形例では、基管部の一部を被挿入部とし、吐水用管部の一部を挿入部とする態様を例示したが、基管部及び吐水用管部の雌雄を逆転してもよい。つまり、基管部に挿入部を設け、吐水用管部に被挿入部を設けてもよい。
【００４７】
このように、雌雄を逆転する態様を適用する場合には、例えば、固定部材の外壁面に規制用突部を設け、固定部材の内壁面に雌ネジ部を設ける。そして、第２の管状部の内壁面に規制用突部が係合可能な周溝部に設けると共に、吐水用管部の一次側端部寄りの外壁面に雌ネジ部と螺合可能な雄ネジ部を設ける。そして、突部を周溝部に係合させつつ、固定部材を第２の管状部に装着した後に、吐水用管部の雄ネジ部を、固定部材の雌ネジ部に螺合させつつ、吐水用管部を第２の管状部に取り付ければよい。尚、この態様において、第２の管状部の内壁面に規制用突部を設け、固定部材の外壁面に周回溝を設けてもよい。
【００４８】
基管部及び吐水用管部の接続態様は、挿入部及び被挿入部による挿入接続に限定されない。例えば、基管部の二次側の端部に半径外方向に突出するフランジを設け、吐水用管部の一次側の端部に半径外方向に突出するフランジを設けると共に、両フランジを当接させつつ、固定して基管部及び吐水用管部の接続を行ってもよい。
【００４９】
また、本実施例及び変形例では、基管部を曲がり部のみで構成する態様を例示したが、曲がり部の一次側及び二次側のうちの少なくとも一方に他の形状の部分（直管部や他の曲がり部）を備えてもよい。
【００５０】
更に、実施例異なり、前記円筒状部材からなる固定部材を、「相互に回転可能に連結される複数の分割片を用いて構成される円筒状部材」によって構成してもよい。例えば、蝶番状の連結部を支点に相互に回転可能に連結される分割片（例えば、前述の半割状のもの）によって、固定部材を構成してもよい。また、ゴム等の弾性変形が容易な素材で構成する場合には、前記円筒状部材からなる固定部材を一体品で構成することもできる。
【００５１】
本実施例及び変形例では、水栓本体において、下方に開口する接続口に接続される吐水口部材を例示したが、本吐水口部材は、水栓本体の上面で開口する接続口、側面で開口する接続口、背面で開口で開口する接続口等の種々の態様の接続口に接続可能である。
【産業上の利用可能性】
【００５２】
本発明は、例えば、水栓の製造、販売、施工、加工等を行う分野で利用可能である。
【図面の簡単な説明】
【００５３】
【図１】実施例の吐水口部材の一部を破断した側面図である。
【図２】図１の吐水口部材の縦断面図である。
【図３】（ａ）は吐水用管部及び固定部材を説明するための説明図、（ｂ）は基管部を説明するための縦断面図である。
【図４】固定部材の斜視図である。
【図５】（ａ）は図１のＩ−Ｉ縦断面、（ｂ）は吐水用管部の一次の端面を示す説明図、（ｃ）は吐水用管部の一部側面図である。
【図６】変形例に係る吐水口部材の側面図である。
【図７】従来例に係る吐水口部材の側面図である。
【符号の説明】
【００５４】
１０；水栓本体、
１１；接続口、
３０；基管部、
３１；曲がり部、
３８ａ；雌ネジ部、
５０；吐水用管部、
５７；周溝部、
５３及び４１；回転禁止手段、
６０；固定部材、
６０ａ、６０ｂ；分割片、
６１ａ；雄ネジ部、
６１ｂ；規制用突部、
Ｒ；吐水流路、
Ｔ；吐水口部材。
【図１】
2005113630.tif 000003
【図２】
2005113630.tif 000004
【図３】
2005113630.tif 000005
【図４】
2005113630.tif 000006
【図５】
2005113630.tif 000007
【図６】
2005113630.tif 000008
【図７】
2005113630.tif 000009